(57)【要約】【課題】浴室用軟水装置において、使用時に吐水部材およびシャワー部材が交差せず、使い勝手を良好なものとする。【解決手段】浴室内で使用される湯水に含まれる硬度分を除去する軟水生成部を備えた装置本体２に、前記軟水生成部からの軟水を装置外部へ吐出する吐水部材４およびシャワー部材５を取り付けてなり、前記装置本体２を前記浴室内の湯水混合栓と接続して、前記浴室内の浴槽近傍に設置した状態において、前記浴室内の浴槽側と洗い場側とに位置するように前記吐水部材４および前記シャワー部材５の前記装置本体２へのそれぞれの取付部としての第一取付部６および第二取付部７を配置した浴室用軟水装置１であって、前記吐水部材４および前記シャワー部材５を、前記各取付部６，７のいずれにも取り付け可能としたことを特徴とする。【選択図】図２
2008050786.tif 000002
【特許請求の範囲】
【請求項１】
浴室内で使用される湯水に含まれる硬度分を除去する軟水生成部を備えた装置本体に、前記軟水生成部からの軟水を装置外部へ吐出する吐水部材およびシャワー部材を取り付けてなり、前記装置本体を前記浴室内の湯水混合栓と接続して、前記浴室内の浴槽近傍に設置した状態において、前記浴室内の浴槽側と洗い場側とに位置するように前記吐水部材および前記シャワー部材の前記装置本体へのそれぞれの取付部を配置した浴室用軟水装置であって、
前記吐水部材および前記シャワー部材を、前記各取付部のいずれにも取り付け可能としたことを特徴とする浴室用軟水装置。
【発明の詳細な説明】
【技術分野】
【０００１】
この発明は、浴室内で使用される湯水に含まれる硬度分を除去する浴室用軟水装置に関する。
【背景技術】
【０００２】
軟水装置は、たとえば工場における水処理システムなど様々な分野で利用されている。その中でも、軟水は、保湿力や保温力が高く、温泉と同様の入浴感が得られること、また入浴によってアレルギー性疾患の治癒に効能を示す事例があることから、一般家庭の浴室内に置かれ、入浴時の湯水として使用するための軟水を生成する浴室用軟水装置が近年注目を集めている。
【０００３】
前記浴室用軟水装置は、たとえば特許文献１に開示されているように、イオン交換樹脂を充填した樹脂収容部を軟水生成部として備え、この軟水生成部に原水ラインおよび軟水ラインを接続した構成となっている。前記浴室用軟水装置を浴室内に設置する場合、浴室内の洗い場における既設の湯水混合栓をそのまま利用する観点から、まず前記湯水混合栓からシャワー部材を取り外す。つぎに、前記湯水混合栓と前記軟水生成部を収容した装置本体とを前記原水ラインを構成する原水ホースで接続する。そして、取り外した前記シャワー部材を前記軟水ラインを構成するものとして前記装置本体と接続する。すなわち、前記装置本体を前記湯水混合栓と前記シャワー部材との間に介在させるように施工する。
【０００４】
このように施工された前記軟水装置では、前記軟水生成部からの軟水は、前記シャワー部材から吐出されるようになっている。したがって、浴槽に軟水を溜める場合、前記シャワー部材から前記浴槽へ吐水を行うようになっている。
【特許文献１】特開２０００−４２５４３号公報
【発明の開示】
【発明が解決しようとする課題】
【０００５】
ところで、前記浴室内に前記浴室用軟水装置が設置されていない場合、前記湯水混合栓の蛇口から前記浴槽に湯水を溜めるのが一般的である。一方で、前記浴室用軟水装置からの軟水を前記浴槽に溜める場合、前記シャワー部材から軟水を供給するので、その流量は、シャワーヘッドにおける圧力損失のために、前記湯水混合栓の蛇口からの吐出流量よりも少なく、前記浴槽に軟水が溜まるまでに非常に時間がかかっている。そこで、本願出願人は、前記装置本体に、前記軟水生成部からの軟水を前記浴槽へ吐出する吐水部材を取り付けた軟水装置を提案している（特願２００６−８６８３５号）。
【０００６】
ここで、前記原水ホースは、前記洗い場の浴室壁に設置された前記湯水混合栓から、前記洗い場において邪魔にならないように壁際に配置しつつ、前記装置本体における前記浴室壁側となる位置に接続するようになっていることが好ましい。したがって、前記浴室用軟水装置は、前記装置本体への前記原水ホースの接続箇所が、常に前記浴室壁側となるような向きで設置されることになる。また、その設置位置は、前記吐水部材から前記浴槽への湯張りをするために、前記浴槽近傍となる。
【０００７】
そして、前記吐水部材および前記シャワー部材の前記装置本体へのそれぞれの取付部は、前記装置本体を前記湯水混合栓と接続して前記浴槽近傍に設置した状態において、使いやすさなどを考慮して前記浴槽側と前記洗い場側とに配置した上で、前記浴槽側に前記吐水部材が取り付けられ、一方で前記洗い場側に前記シャワー部材が取り付けられていることが好ましい。しかし、前記浴室用軟水装置は、前記装置本体への前記原水ホースの接続箇所が、常に前記浴室壁側となるような向きで設置され、常に一定の向きで設置されるため、前記浴室内のレイアウトによっては、前記シャワー部材が前記浴槽側となり、前記吐水部材が前記洗い場側となることも想定される。この場合、前記吐水部材から前記浴槽へ湯を溜めるとき、またはシャワーを使用するとき、前記吐水部材と前記シャワー部材とが交差して使用しづらい。
【０００８】
この発明が解決しようとする課題は、浴室用軟水装置において、使用時に吐水部材およびシャワー部材が交差せず、使い勝手を良好なものとすることである。
【課題を解決するための手段】
【０００９】
この発明は、前記課題を解決するためになされたもので、請求項１に記載の発明は、浴室内で使用される湯水に含まれる硬度分を除去する軟水生成部を備えた装置本体に、前記軟水生成部からの軟水を装置外部へ吐出する吐水部材およびシャワー部材を取り付けてなり、前記装置本体を前記浴室内の湯水混合栓と接続して、前記浴室内の浴槽近傍に設置した状態において、前記浴室内の浴槽側と洗い場側とに位置するように前記吐水部材および前記シャワー部材の前記装置本体へのそれぞれの取付部を配置した浴室用軟水装置であって、前記吐水部材および前記シャワー部材を、前記各取付部のいずれにも取り付け可能としたことを特徴とする。
【発明の効果】
【００１０】
この発明によれば、前記吐水部材および前記シャワー部材を、前記各取付部の何れにも取り付け可能としたので、前記浴室用軟水装置を前記浴室内に設置したとき、この浴室のレイアウトに合わせて、前記吐水部材が前記浴槽側に位置し、一方で前記シャワー部材が前記洗い場側に位置するようにして、これら吐水部材およびシャワー部材を、前記各取付部に取り付けることができる。したがって、前記吐水部材と前記シャワー部材とが、使用時に互いに交差するような位置関係とはならず、使い勝手が良好である。
【発明を実施するための最良の形態】
【００１１】
つぎに、この発明の実施の形態について図面に基づいて詳細に説明する。図１は、この発明に係る浴室用軟水装置の実施の形態の構成の一例を示す概略的な説明図であり、また図２は、図１に示す浴室用軟水装置の一部拡大図であり、さらに図３および図４は、図１に示す浴室用軟水装置を浴室内に設置した例を示す概略的な説明図であって、図３は第一設置例を示し、また図４は第二設置例を示す図である。
【００１２】
浴室用軟水装置１は、後に詳述するように、図３および図４に示す浴室１８，２３内において、洗い場２０の浴室壁２２に設けられた湯水混合栓２１と接続され、浴槽１９の近傍の前記洗い場２０に設置される。
【００１３】
前記浴室用軟水装置１は、前記浴室１８，２３内で使用される湯水に含まれる硬度分を除去する軟水生成部（図示省略）が収容された装置本体２を備えている。前記軟水生成部には、イオン交換樹脂が収容されており、このイオン交換樹脂によって前記浴室１８，２３内で使用される湯水に含まれる硬度分（すなわち、カルシウムイオンおよびマグネシウムイオン）をナトリウムイオンまたはカリウムイオンと置換させ、軟水を生成するようになっている。
【００１４】
前記装置本体２の下部には、前記湯水混合栓２１からの原水を前記軟水生成部へ供給するための原水ホース３が接続されている。また、前記装置本体２の上面には、前記原水ホース３の接続箇所側となる位置に、前記軟水生成部からの軟水を装置外部へ吐出する吐水部材４およびシャワー部材５が取り付けられている。
【００１５】
前記吐水部材４および前記シャワー部材５は、第一取付部６および第二取付部７を介して前記装置本体２に着脱自在に取り付けられている。前記各取付部６，７は、前記原水ホース３の前記装置本体２への取付箇所に対し、右側に前記第一取付部６が位置し、左側に前記第二取付部７が位置するようにして並設されている。このようにして並設された前記各取付部６，７は、前記装置本体２を前記湯水混合栓２１と接続して、前記浴槽１９の近傍に設置した状態において、いずれかが前記浴槽１９側に位置し、いずれかが前記洗い場２０側に位置するように配置され、この実施形態では、前記浴槽１９に対して直交する向きで並設されている。
【００１６】
ここで、図１および図２では、前記吐水部材４が、前記第一取付部６に取り付けられ、一方で前記シャワー部材５が、前記第二取付部７に取り付けられる例が示されている。ただし、前記吐水部材４および前記シャワー部材５は、それぞれ吐水部材取付アダプタ８およびシャワー部材取付アダプタ９を使用することにより、前記各取付部６，７のいずれにも取り付け可能となっている。
【００１７】
前記各取付部６，７の構成についてもう少し詳しく説明する。前記第一取付部６は、前記装置本体２の上面に突設された第一凸部１０と、前記吐水部材取付アダプタ８とで構成されている。一方で、前記第二取付部７は、前記装置本体２の上面に突設された第二凸部１１と、前記シャワー部材取付アダプタ９とで構成されている。ただし、前記吐水部材取付アダプタ８および前記シャワー部材取付アダプタ９は、前記各取付部６，７に前記吐水部材４および前記シャワー部材５の何れを取り付けるかによって、前記各取付部６，７のいずれの構成要素にもなる。
【００１８】
前記各凸部１０，１１は、それぞれ中空部（図示省略）を有し、この中空部において、前記軟水生成部から流出した軟水が流通する前記装置本体２内の軟水流路（図示省略）と連通している。さらに、前記各凸部１０，１１は、第一螺合部１２および第二螺合部１３をそれぞれ有している。これら各螺合部１２，１３は、互いに同一の外径およびピッチとなっており、前記吐水部材取付アダプタ８および前記シャワー部材取付アダプタ９のいずれもが螺合可能となっている。
【００１９】
前記吐水部材取付アダプタ８および前記シャワー部材取付アダプタ９は、前記各凸部１０，１１における前記中空部と連通する略筒状に形成され、その一端側の内周面において前記第一螺合部１２および前記第二螺合部１３の何れにも螺合可能となっている（すなわち、前記吐水部材取付アダプタ８および前記シャワー部材取付アダプタ９の一端側の内周面は、同一の内径およびピッチの螺合部（図示省略）となっている）。そして、前記吐水部材取付アダプタ８は、前記吐水部材４が螺合可能な吐水部材螺合部１４を他端側に有し、また前記シャワー部材取付アダプタ９は、前記シャワー部材５が螺合可能なシャワー部材螺合部１５を他端側に有している。
【００２０】
前記吐水部材４は、吐水部材端部１６の内周面において前記吐水部材螺合部１４に螺合するようになっている。また、前記シャワー部材５は、シャワー部材端部１７の内周面において前記シャワー部材螺合部１５に螺合するようになっている。ここで、前記吐水部材端部１６の内径は、前記シャワー部材端部１７の内径よりも大きく、両者は互いに異なる内径になっているが、前記吐水部材取付アダプタ８および前記シャワー部材取付アダプタ９を使用することにより、前記吐水部材４および前記シャワー部材５を、前記第一取付部６および前記第二取付部７のいずれにも取り付け可能となっている。
【００２１】
さて、浴室内における前記浴室用軟水装置１の設置例について、図３および図４を参照して説明する。まず、図３に基づいて、前記浴室用軟水装置１の第一設置例について説明する。
【００２２】
この第一設置例において、前記浴室用軟水装置１が設置される前記浴室１８は、前記浴槽１９が図３において右側に設置され、一方で前記洗い場２０が図３において左側に位置し、さらに前記湯水混合栓２１が、前記洗い場２０における前面側の前記浴室壁２２に設置されている。
【００２３】
このようなレイアウトの前記浴室１８において、前記浴室用軟水装置１は、前記湯水混合栓２１と前記原水ホース３を介して接続され、この原水ホース３の前記装置本体２への接続箇所が、前記浴室壁２２側になるようにして、前記浴槽１９の近傍の前記洗い場２０に設置される。このとき、前記第一取付部６は前記浴槽１９側に位置し、一方で前記第二取付部７は前記洗い場２０側に位置する。
【００２４】
前記浴室１８に前記浴室用軟水装置１を設置する場合、前記吐水部材４は、前記吐水部材取付アダプタ８（図３においては図示省略）を使用し、前記第一取付部６に取り付ける。一方で、前記シャワー部材５は、前記シャワー部材取付アダプタ９（図３においては図示省略）を使用し、前記第二取付部７に取り付ける。したがって、前記吐水部材４が前記浴槽１９側に位置し、一方で前記シャワー部材５が前記洗い場２０側に位置する。
【００２５】
つぎに、図４に基づいて、前記浴室用軟水装置１の第二設置例について説明する。この第二設置例において前記浴室用軟水装置１が設置される前記浴室２３は、前記浴槽１９が図４において左側に設置され、一方で前記洗い場２０が図４において右側に設置されている。前記湯水混合栓２１が、前記洗い場２０における前面側の前記浴室壁２２に設置されている点は、第一設置例における前記浴室１８と同様である。
【００２６】
このようなレイアウトの前記浴室２３において、前記浴室用軟水装置１は、前記浴室１８と同様に、前記湯水混合栓２１と前記原水ホース３を介して接続され、この原水ホース３の前記装置本体２への接続箇所が、前記浴室壁２２側になるようにして、前記浴槽１９の近傍の前記洗い場２０に設置される。しかし、前記浴槽１９および前記洗い場２０に対する、前記第一取付部６および前記第二取付部７の位置関係が前記浴室１８に設置した場合とは逆になっている。すなわち、前記第一取付部６は、前記洗い場２０側に位置し、一方で前記第二取付部７は、前記浴槽１９側に位置する。
【００２７】
前記浴室２３に前記浴室用軟水装置１を設置する場合、前記吐水部材４は、前記吐水部材取付アダプタ８（図４においては図示省略）を使用し、前記第二取付部７に取り付ける。一方で、前記シャワー部材５は、前記シャワー部材取付アダプタ９（図４においては図示省略）を使用し、前記第一取付部７に取り付ける。したがって、前記吐水部材４が前記浴槽１９側に位置し、一方で前記シャワー部材５が前記洗い場２０側に位置する。
【００２８】
以上説明した浴室用軟水装置１によれば、前記吐水部材４および前記シャワー部材５を、前記各取付部７，８の何れにも取り付け可能としたので、前記浴室用軟水装置１を前記浴室１８，２３内に設置したとき、これら浴室１８，２３のレイアウトに合わせて、前記吐水部材４が前記浴槽１９側に位置し、一方で前記シャワー部材５が前記洗い場２０側に位置するようにして、これら吐水部材４およびシャワー部材５を、前記各取付部６，７に取り付けることができる。したがって、前記吐水部材４と前記シャワー部材５とが、使用時に互いに交差するような位置関係とはならず、使い勝手が良好である。
【００２９】
以上、この発明を前記実施形態によって説明したが、この発明はその主旨を変更しない範囲で種々変更実施可能なことはもちろんである。たとえば、前記吐水部材取付アダプタ８および前記シャワー部材取付アダプタ９を使用することなく、前記吐水部材端部１６および前記シャワー部材端部１７を、前記各凸部１０，１１における前記各螺合部１２，１３のいずれにも螺合できるものとすることにより、前記吐水部材４および前記シャワー部材５を、前記各取付部６，７の何れにも取り付け可能とする構成としてもよい。
【図面の簡単な説明】
【００３０】
【図１】この発明に係る浴室用軟水装置の実施の形態の構成の一例を示す概略的な説明図である。
【図２】図１に示す浴室用軟水装置の一部拡大図である。
【図３】図１に示す浴室用軟水装置の浴室内における第一設置例を示す概略的な説明図である。
【図４】図１に示す浴室用軟水装置の浴室内における第二設置例を示す概略的な説明図である。
【符号の説明】
【００３１】
１  浴室用軟水装置
２  装置本体
４  吐水部材
５  シャワー部材
６  第一取付部（取付部）
７  第二取付部（取付部）
１８，２３  浴室
１９  浴槽
２０  洗い場
２１  湯水混合栓
【図１】
2008050786.tif 000003
【図２】
2008050786.tif 000004
【図３】
2008050786.tif 000005
【図４】
2008050786.tif 000006